(57)【要約】【課題】ＩＣカード等の利用者装置が使用に際して正しく認識されているか否かは通常一定の固定音で利用者に知らせている。この方法では駅の改札、混雑した場所でのＰＯＳ端末の使用等に際しては利用者がこの認識結果を識別することが困難になる場合があった。本発明においては、このような状況下でも利用者が識別し得る装置を提供することを目的としている。【解決手段】音響データ識別子とこれに対応する音響データとを利用者装置管理システムに記録しておき、利用者装置音響データ管理端末にこれら音響データ識別子と音響データとを通信回線を経由して配信し、記録しておく。利用者装置が使用状態となった時にその利用者装置固有の音響データ識別子を読み出し利用者装置音響データ管理端末でこの識別子を利用してこれに対応する音響データを読み出し出力する。【選択図】図１
2005005872.tif 000002
【特許請求の範囲】
【請求項１】
利用者装置を識別するシステムであって、
利用者によって選択される音響データ識別子と該音響データ識別子に連動した音響データとの発信を制御する利用者装置音響データ管理システムと、
前記利用者装置音響データ管理システムから発信されてきた前記音響データ識別子及び音響データを受信し、この受信信号を記憶する記憶手段を有し、かつ当該音響データ識別子を利用者装置に送出することが可能な利用者装置音響データ管理端末および利用者装置を適用する端末と、
前記利用者装置音響データ管理システムと前記利用者装置音響データ管理端末および利用者装置を適用する端末とを結合する通信回線と、
前記利用者装置に前記音響データ識別子を書き込み、または読み出しの動作を行う利用者装置読取／書込み手段と、
前記利用者装置から読み出した前記音響データ識別子により前記利用者装置音響データ管理端末および利用者装置を適用する端末の前記記憶手段から読み出された音響データを出力する出力手段と
で構成されていることを特徴とする音響信号による利用者装置識別システム。
【請求項２】
請求項１に記載の利用者装置識別システムにおける前記利用者装置音響データ管理システムは、
音響データと音響データ識別子とを登録するための登録手段と、
該音響データと音響データ識別子とを前記利用者装置音響データ管理端末および利用者装置を適用する端末端末装置側に配信するための配信手段と、
該音響データと音響データ識別子とを送信するためのデータ送信手段と、
該音響データと音響データ識別子とを記憶するための記憶手段と、
前記登録、配信、データ送信、記憶を含む利用者装置音響データ管理システムにおける各種処理を実行するシステム演算手段と、
該音響データの出力手段と
を備えていることを特徴とする音響信号による利用者装置識別システム。
【請求項３】
請求項１に記載の利用者装置識別システムにおける前記利用者装置音響データ管理端末および利用者装置を適用する端末は、
該音響データと音響データ識別子とを受信するためのデータ受信手段と、
該音響データと音響データ識別子とを選択するための選択手段と、
前記選択、データ受信、記憶、利用者装置への書き込みおよび読み出しを含む利用者装置音響データ管理端末および利用者装置を適用する端末での各種処理を実行する端末演算手段と、
該音響データと音響データ識別子とを記憶するための記憶手段と、
該音響データを音響信号として出力する出力手段と
を備えていることを特徴とする音響信号による利用者装置識別システム。
【請求項４】
請求項１乃至請求項３の何れかに記載の前記利用者装置は、
前記音響データ識別子を送受信するための通信処理手段と、
前記音響データ識別子を記憶するための記憶手段と
を備えていることを特徴とする音響信号による利用者装置識別システム。
【請求項５】
利用者装置に固有の音響データ識別子を読み出し、該音響データ識別子に連動した音響データを読み出し、該音響データを出力する音響データによる利用者識別方法において、
前記音響データ識別子および音響データを記憶手段に記憶し、記憶手段から読み出し、さらに利用者装置を適用する端末に送出する各処理を利用者装置音響データ管理システムにおけるシステム演算手段を用いて実行し、
前記端末では前記音響データ識別子および音響データを記憶しておき、次に利用者装置が前記端末に適用されたとき、前記端末において利用者装置に固有の前記音響データ識別子を読み出し、該読み出した前記音響データ識別子を用いて利用者装置音響データ管理端末および利用者装置を適用する端末において該当する音響データを読み出し、
該音響データを出力する
ことを特徴とする音響信号による利用者装置識別方法。
【請求項６】
請求項５に記載の利用者装置識別方法において、
前記利用者装置音響データ管理システムの操作者が、前記音響データと前記音響データ識別子とを登録部を介して内蔵の記憶部に記憶する処理を行なった場合、  前記システム演算手段は、これら記憶された前記音響データと音響データ識別子のうち必要とするデータを前記記憶手段から読み出す処理を行ない、
該読み出した前記音響データと音響データ識別子を前記利用者装置音響データ管理端末および利用者装置を適用する端末に送出する処理を行なうこと
を特徴とする音響信号による利用者装置識別方法。
【請求項７】
請求項５に記載の利用者装置識別方法において、
前記利用者装置音響データ管理端末および利用者装置を適用する端末における端末演算手段は、
前記送出されてきた前記音響データと音響データ識別子をデータ受信手段で受信した後に前記利用者装置音響データ管理端末および利用者装置を適用する端末内蔵の記憶手段に記憶する処理を行ない、
前記利用者装置の利用者装置読取／書込み手段を介して前記利用者装置に記録されている前記音響データ識別子を読み出し、
該読み出した前記音響データ識別子を用いて前記利用者装置音響データ管理端末および利用者装置を適用する端末内蔵の記憶手段から前記利用装置に固有の前記音響データを読み出し、
前記記憶部内に記憶されている前記音響データと音響データ識別子とを用いて前記読み出された前記利用者装置に固有の前記音響データ識別子に対応する音響データを選択部により読み出し、
前記読み出した音響データを出力手段を介して出力する処理を行なうこと
を特徴とする音響信号による利用者装置識別方法。
【発明の詳細な説明】
【０００１】
【発明の属する技術分野】
本発明はＩＣカード等利用者装置を確認する際に、利用者装置識別システムから出力される識別結果を利用者が所望する音響データとして出力させる方法に関する。
【０００２】
【従来の技術】
【特許文献１】特開２００１−５９３６号公報
「非接触ＩＣカード及びその読取りシステム」
近年、例えば上記「特許文献１」に記載されているようにセキュリティ上安全で携帯可能な利用者装置（例えばＩＣカード等）を使用したシステムが普及しつつある。従来、このような利用者装置を利用者装置読取／書込み器に近づけると、端末（例えば、電車・バスなどの改札、建物の出入り口、その他ゲート、ＰＯＳシステム等におけるＩＣカード読取／書込み器等）は利用者装置を正当な利用者装置として識別し、識別した結果正当な利用者装置であるということを端末に固定的な音響（例えば、「ピッ」など）データで利用者に知らせていた。
【０００３】
【発明が解決しようとする課題】
このように、端末装置に固定的な音響データにより、利用者装置が正当に識別されたということを利用者に知らせていたので、駅の改札などのように複数の端末が接近して配列され、かつ、複数の利用者により混雑しているような場合には、利用者自身の利用者装置が端末に正当に識別されているかどうかを音響データにより識別することが困難になるという問題があった。
【０００４】
このため本発明においては、利用者が利用者装置を利用者装置読取／書込み器に近づけたときに、例え混雑状態にあっても端末が利用者装置を正当な利用者装置として識別したことを容易に利用者が確認することが可能なシステムを提供することを目的とした。
【０００５】
【課題を実施するための手段】
上記目的を達成するために、本発明の請求項１においては、利用者装置を識別するシステムであって、利用者によって選択される音響データ識別子と該音響データ識別子に連動した音響データとの発信を制御する利用者装置音響データ管理システムと、前記利用者装置音響データ管理システムから発信されてきた前記音響データ識別子及び音響データを受信し、この受信信号を記憶する記憶手段を有し、かつ当該音響データ識別子を利用者装置に送出することが可能な利用者装置音響データ管理端末および利用者装置を適用する端末と、前記利用者装置音響データ管理システムと前記利用者装置音響データ管理端末および利用者装置を適用する端末である改札、出入り口、ＰＯＳ等各種端末とを結合する通信回線と、前記利用者装置に前記音響データ識別子を書き込み、または読み出しの動作を行う利用者装置読取／書込み手段と、前記利用者装置から読み出した前記音響データ識別子により前記利用者装置音響データ管理端末および利用者装置を適用する端末の前記記憶手段から読み出された音響データを出力する出力手段とで構成されている音響信号による利用者装置識別システムについて規定している。
【０００６】
請求項２においては、請求項１に記載の利用者装置識別システムにおける前記利用者装置音響データ管理システムは、音響データと音響データ識別子とを登録するための登録手段と、該音響データと音響データ識別子とを前記利用者装置音響データ管理端末および利用者装置を適用する端末端末装置側に配信するための配信手段と、該音響データと音響データ識別子とを送信するためのデータ送信手段と、該音響データと音響データ識別子とを記憶するための記憶手段と、前記登録、配信、データ送信、記憶を含む利用者装置音響データ管理システムにおける各種処理を実行するシステム演算手段と、該音響データの出力手段とを備えている音響信号による利用者装置識別システムについて規定している。
【０００７】
請求項３においては、請求項１に記載の利用者装置識別システムにおける前記利用者装置音響データ管理端末および利用者装置を適用する端末は、該音響データと音響データ識別子とを受信するためのデータ受信手段と、該音響データと音響データ識別子とを選択するための選択手段と、前記選択、データ受信、記憶、利用者装置への書き込みおよび読み出しを含む利用者装置音響データ管理端末および利用者装置を適用する端末での各種処理を実行する端末演算手段と、該音響データと音響データ識別子とを記憶するための記憶手段と、該音響データを音響信号として出力する出力手段とを備えている音響信号による利用者装置識別システムについて規定している。
【０００８】
請求項４においては、請求項１乃至請求項３の何れかに記載の前記利用者装置は、前記音響データ識別子を送受信するための通信処理手段と、前記音響データ識別子を記憶するための記憶手段とを備えている音響信号による利用者装置識別システムについて規定している。
【０００９】
請求項５においては、利用者装置に固有の音響データ識別子を読み出し、該音響データ識別子に連動した音響データを読み出し、該音響データを出力する音響データによる利用者識別方法において、前記音響データ識別子および音響データを記憶手段に記憶し、記憶手段から読み出し、さらに利用者装置を適用する端末に送出する各処理を利用者装置音響データ管理システムにおけるシステム演算手段を用いて実行し、前記端末では前記音響データ識別子および音響データを記憶しておき、次に利用者装置が前記端末に適用されたとき、前記端末において利用者装置に固有の前記音響データ識別子を読み出し、該読み出した前記音響データ識別子を用いて利用者装置音響データ管理端末および利用者装置を適用する端末において該当する音響データを読み出し、該音響データを出力する音響信号による利用者装置識別方法について規定している。
【００１０】
請求項６においては、請求項５に記載の利用者装置識別方法において、前記利用者装置音響データ管理システムの操作者が、前記音響データと前記音響データ識別子とを登録部を介して内蔵の記憶部に記憶する処理を行なった場合、前記システム演算手段は、これら記憶された前記音響データと音響データ識別子のうち必要とするデータを前記記憶手段から読み出す処理を行ない、該読み出した前記音響データと音響データ識別子を前記利用者装置音響データ管理端末および利用者装置を適用する端末に送出する処理を行なう音響信号による利用者装置識別方法について規定している。
【００１１】
請求項７においては、請求項５に記載の利用者装置識別方法において、前記利用者装置音響データ管理端末および利用者装置を適用する端末における端末演算手段は、前記送出されてきた前記音響データと音響データ識別子をデータ受信手段で受信した後に前記利用者装置音響データ管理端末および利用者装置を適用する端末内蔵の記憶手段に記憶する処理を行ない、前記利用者装置の利用者装置読取／書込み手段を介して前記利用者装置に記録されている前記音響データ識別子を読み出し、該読み出した前記音響データ識別子を用いて前記利用者装置音響データ管理端末および利用者装置を適用する端末内蔵の記憶手段から前記利用装置に固有の前記音響データを読み出し、前記記憶部内に記憶されている前記音響データと音響データ識別子とを用いて前記読み出された前記利用者装置に固有の前記音響データ識別子に対応する音響データを選択部により読み出し、前記読み出した音響データを出力手段を介して出力する処理を行なう音響信号による利用者装置識別方法について規定している。
【００１２】
【発明の実施の形態】
図１及び図２により本発明の構成を説明する。
以下の説明において、利用者装置とは利用者が常時携行し、必要に応じて端末装置に適用するＩＣカード等の媒体を指すものとする。
図１において、利用者装置音響データ管理システム１０は、登録部１１、配信部１２、システム演算部１３、データ送信部１４、音響データ識別子１５１および音響データ１５２を記憶する記憶部１５、スピーカ３０等から構成されているシステムで、分散配置されている端末の管理を集中的に行なうシステムである。ここで、登録部１１は、音響データ識別子１５１、音響データ１５２等を記憶部１５に登録する処理を行ない、配信部１２は、システム提供側の操作者から要求が出された際に、音響データ識別子１５１、及び音響データ１５２等を、システム演算部１３等を通じて、利用者装置音響データ管理端末／各種端末２０に送信するものである。システム演算部１３は、利用者装置音響データ管理システム１０が利用者データ登録その他各種業務を実行する際に中心的な役割を担う中央演算装置である。データ送信部１４は、システム演算部１３から要求があったときに、記憶部１５に記憶されている音響データ識別子１５１、音響データ１５２等を、回線１０１を通して利用者装置音響データ管理端末／各種端末２０に送信するためのものであり、記憶部１５は、音響データ識別子１５１、音響データ１５２等を記憶しておくためのものである。また、スピーカ３０は、音響データ１５２をシステム管理側の操作者が出力し、確認するためのものである。
【００１３】
利用者装置音響データ管理端末／各種端末２０は、選択部２１、端末演算部２２、データ受信部２３、記憶部２４、音響データ識別子２４１、音響データ２４２、スピーカ４０、利用者装置読取／書込み器５０等から構成されているシステムで、利用者が実際に操作する端末装置である。
ここで、選択部２１は、利用者が所望する音響データ２４２に対応する音響データ識別子２４１を選択するためのものであり、端末演算部２２は、利用者装置声データ管理端末／各種端末２０が利用者装置の認識あるいは料金精算等の利用内容に関する各種業務を実行する際に、中心的な役割を担う中央演算装置である。データ受信部２３は、利用者装置音響データ管理システム１０の配信部１２から回線１０１を経由して送信される音響データ識別子１５１、音響データ１５２等を受信するためのものであり、記憶部２４は、利用者音響データ管理端末／各種端末２０に利用者登録されている音響データ識別子２４１および音響データ２４２等を記憶するためのものである。また、スピーカ４０は、音響データ２４２を出力し、利用者に利用者装置の認識結果を告知するためのものである。なお、利用者装置読取／書込み器５０は、利用者装置に書き込まれている音響データ識別子（音響データ識別子１５１と同じ内容）等を読み取ったり、利用者装置に音響データ識別子２４１等を書き込んだりするためのもので、利用者音響データ管理端末／各種端末２０に内蔵されている場合もあり、外付けで使用される場合もある。
【００１４】
図２において、利用者装置３０は、既述のように利用者が携行する例えばカード状の形状を有するもので、利用者装置演算部３１、通信処理部３２、記憶部３３から構成されている。
利用者装置演算部３１は、利用者装置３０が利用者データ認識その他各種業務を実行する際に、中心的な役割を担う中央演算装置であり、通信処理部３２は、利用者装置音響データ管理端末／各種端末２０と、音響データ識別子２４１等を送受信するためのものである。記憶部３３は、利用者識別番号、音響データ識別子３３１等を記憶するためのものである。
次に、図３乃至図６を用いて本発明によるシステムの動作を説明する。
【００１５】
図３は、音響データ識別子１５１及び音響データ１５２を利用者装置音響データ管理システム１０に登録する動作を説明するシーケンス図である。登録部１１に音響データ１５２及び音響データ識別子１５１を入力する（Ｔ４４）。続いて登録部１１はシステム演算部１３に音響データ１５２及び音響データ識別子１５１を入力し（Ｔ４５）、システム演算部１３はこれら音響データ１５２及び音響データ識別子１５１を記憶部１５に記憶させる（Ｔ４６）。
【００１６】
図４は、利用者装置音響データ管理システム１０が、登録された音響データ識別子１５１及び音響データ１５２を、利用者装置音響データ管理端末／各種端末２０に配信する動作を説明するシーケンス図である。システム管理側の操作者は配信部１２に音響データ識別子１５１を入力する（Ｔ５１８）。この配信部１２に入力された音響データ識別子１５１は直ちにシステム演算部１３に送出される（Ｔ５１９）。システム演算部１３では受信した音響データ識別子１５１を記憶部１５に送出し（Ｔ５２０）、記憶部１５においてはこの音響データ識別子１５１をキーとしてこの識別子１５１に対応する音響データ１５２を検索し、システム演算部１３に出力する（Ｔ５２１）。次に、システム演算部１３は、取得した音響データ１５２と音響データ識別子１５１をデータ送信部１４に送出し（Ｔ５２２）、データ送信部１４は、この入力された音響データ１５２及び音響データ識別子１５１を回線１０１等を介して、利用者装置音響データ管理端末／各種端末２０側のデータ受信部２３に送信する（Ｔ５２３）。データ受信部２３は、受信した音響データ１５２および音響データ識別子１５１を端末演算部２２に入力し（Ｔ５２４）、端末演算部２２は記憶部２４にこの入力された音響データ１５２および音響データ識別子１５１を記憶部２４に記憶させる（Ｔ５２５）。
【００１７】
図５は、利用者は利用者装置３０を利用者装置音響データ管理端末／各種端末２０にかざしたときに、その利用者装置３０が正しい利用者装置であると利用者装置音響データ管理端末／各種端末２０が識別したときに端末装置において出力する音響データが利用者自身の所望する音響データとするために、利用者装置３０に音響データ識別子１５１を登録する動作を説明するシーケンス図である。
利用者は、自身が所望する音響データに対応する音響データ識別子１５１を選択部２１に入力する（Ｔ６５）。選択部２１においては端末演算部２２に音響データ識別子１５１を出力し（Ｔ６６）、端末演算部２２は、利用者装置読取／書込み器を介して、音響データ識別子１５１を利用者装置３０に登録する（Ｔ６７、Ｔ６８）。
図６は、利用者が利用者装置３０を利用者装置読取／書込み器５０にかざし音響データ１５２を出力する動作を説明するシーケンス図である。利用者は利用者装置３０を利用者装置読取／書込み器５０にかざす。これにより、音響データ識別子１５１が利用者装置読取／書込み器５０に入力される（Ｔ７５）。この入力された音響データ識別子１５１は、直ちに端末演算部２２に送出される（Ｔ７６）。端末演算部２２においては、入力された音響データ識別子１５１を直ちに記憶部２４に送出し（Ｔ７７）、記憶部２４においてはこの音響データ識別子１５１をキーとしてこの識別子１５１に対応する音響データ１５２を検索し、端末演算部２２に送り返す（Ｔ７８）。このようにして得られた音響データ１５２は端末演算部２２からスピーカ４０を介して音響データを出力する（Ｔ７９）。
【００１８】
次に、図７を用いて本発明の実施の形態および動作を説明する。
図７は、本発明の実施の一形態である。Ｔ８１は、利用者音響データ管理システム、Ｔ８２は通信回線、Ｔ８３は利用者装置音響データ管理端末である。Ｔ８４，Ｔ８５，Ｔ８６は各種端末であり、例えば、Ｔ８４はバスや電車などの改札、Ｔ８５はドアの出入り口やゲート、Ｔ８６はスーパーなどのＰＯＳ端末である。Ｔ８７は利用者装置である。
もちろん、図７は実施の一形態なので、利用者装置音響データ管理システム（Ｔ８１）、通信回線（Ｔ８２）、利用者装置音響データ管理端末（Ｔ８３）、各種端末（改札）（Ｔ８４）、利用者装置（Ｔ８７）という実施の形態も可能である。つまり、各種端末の種類（改札、入口、ＰＯＳなどの種類）の組み合わせは任意であり、また、各々の端末は一つでも複数でもよい。図７に示すシステムを提供する操作者は、利用者が好みそうな音響データ及び音響データ識別子を多数、利用者装置音響データ管理システム（Ｔ８１）に登録する。そして利用者装置音響データ管理システム（Ｔ８１）の配布機能を用いることにより、通信回線（Ｔ８２）を通じて、登録した音響データ及び音響データ識別子を利用者装置音響データ管理端末（Ｔ８３）、バスや電車などの改札（Ｔ８４）、ドアの出入り口やゲート（Ｔ８５）、スーパーなどのＰＯＳ端末（Ｔ８６）に配布する。利用者は、利用者装置音響データ管理端末（Ｔ８３）において、自身が所望する音響データに対応する音響データ識別子を利用者装置（Ｔ８７）に登録する。すると、利用者は、バスや電車などの改札（Ｔ８４）、ドアの出入り口やゲート（Ｔ８５）、スーパーなどのＰＯＳ端末（Ｔ８６）において、利用者装置（Ｔ８７）を各種端末にかざすと、利用者が事前に登録した音響データ識別子が各種端末に入力され、各種端末は入力された音響データ識別子をキーに事前に配信された音響データを出力し、利用者に、利用者装置（Ｔ８７）が正当な利用者装置であると識別したことを知らせる。もちろん、利用者が利用者装置音響データ管理端末（Ｔ８３）において、自身が所望する音響データ識別子を登録しない場合には、利用者が利用者装置（Ｔ８７）を各種端末にかざしたときに、音響データの初期値として、「ピッ」という音響データで、利用者に、利用者装置（Ｔ８７）が正当な利用者装置であると識別したことを知らせることも可能である。
【００１９】
【発明の効果】
以上述べたように、本発明によれば利用者装置確認音を利用者固有の音響データとして発音させるため、混雑時あるいは急ぎの場合等においても容易に利用者自身が確認結果を知ることが出来る。さらに利用者装置側で幾つか複数の音響データを音源として記憶しておき、音響データ識別子で使用する音響データを選択する構成としているため、通信量を大きく増加させることなく複雑な音響データを使用することを可能としている。
【図面の簡単な説明】
【図１】本発明によるシステムの構成図。
【図２】本発明による利用者装置の構成図。
【図３】利用者装置音響データ管理システムの動作シーケンス図。
【図４】利用者装置音響データ管理システムから利用者装置音響データ管理端末／各種端末への情報伝達の動作シーケンス図。
【図５】利用者装置音響データ管理端末／各種端末における利用者による登録動作の動作シーケンス図。
【図６】利用者装置音響データ管理端末／各種端末における発音過程を示す動作シーケンス図。
【図７】本発明の適用例を示すシステム構成図。
【符号の説明】
１０：利用者装置音響データ管理システム  １１：登録部
１２：配信部                １３，２２，６１：演算部
１４：データ送信部                １５，２４：記憶部
１５１，２４１，６３１：音響データ識別子
１５２，２４２：音響データ
２０：利用者装置音響データ管理端末／各種端末
２１：選択部                    ２３：データ受信部
３０，４０：スピーカ            ５０：利用者装置読取／書込み器
６０：利用者装置                ６２：通信処理部
【図１】
2005005872.tif 000003
【図２】
2005005872.tif 000004
【図３】
2005005872.tif 000005
【図４】
2005005872.tif 000006
【図５】
2005005872.tif 000007
【図６】
2005005872.tif 000008
【図７】
2005005872.tif 000009